(57)【要約】【課題】一対の本体がスライド機構３を介して互いにス連結されているスライド式電子機器において、スライド機構３に繋がる２つの構成部材を熱活性接着層９により互いに接合する際に熱活性接着層９の厚さを容易に管理することが出来るスライド式電子機器を提供する。【解決手段】  本発明に係るスライド式電子機器においては、前記２つの構成部材５、６の内、少なくとも何れか一方の構成部材５の接合面に、他方の構成部材６の接合面へ向かって突出する凸部５０が形成されており、該凸部５０が他方の部材６の接合面に当接した状態で、該凸部５０の近傍に拡がる接合面領域にて２つの構成部材５、６が熱活性接着層９によって互いに接合されている。【選択図】図８
2011010142.tif 000002
【特許請求の範囲】
【請求項１】
一対の本体がスライド機構を介して互いに連結され、前記スライド機構に直接若しくは間接的に繋がる２つの構成部材が接着層によって互いに接合されているスライド式電子機器において、前記２つの構成部材の内、少なくとも何れか一方の構成部材の接合面には、他方の構成部材の接合面へ向かって突出する凸部が形成されており、該凸部が他方の部材の接合面に当接した状態で、該凸部の近傍に拡がる接合面領域にて２つの構成部材が接着層によって互いに接合されていることを特徴とするスライド式電子機器。
【請求項２】
一対の本体がスライド機構を介して互いに連結され、前記スライド機構に直接若しくは間接的に繋がる２つの構成部材が熱活性接着層によって互いに接合されているスライド式電子機器において、前記２つの構成部材の内、少なくとも何れか一方の構成部材の接合面には、他方の構成部材の接合面へ向かって突出する凸部が形成されており、該凸部が他方の部材の接合面に当接した状態で、該凸部の近傍に拡がる接合面領域にて２つの構成部材が熱活性接着層によって互いに接合されていることを特徴とするスライド式電子機器。
【請求項３】
前記２つの構成部材の接合面は、前記スライド機構のスライド方向と平行に形成されている請求項１又は請求項２に記載のスライド式電子機器。
【請求項４】
前記スライド機構は、一方の本体に固定された第１のスライド部材(31)のレール部(32)と、他方の本体に固定された第２のスライド部材(４)のスライド部(41)と、両スライド部材(31)(41)を互いに連結するバネ部材(33)とから構成され、前記第２のスライド部材(４)は板部材(６)を介してフレーム(５)に連結され、前記他方の構成部材となる板部材(６)と前記一方の構成部材となるフレーム(５)とが熱活性接着層(９)により互いに接合されている請求項２に記載のスライド式電子機器。
【請求項５】
前記第２のスライド部材(４)と板部材(６)とは熱活性接着層(９)によって互いに接合され、前記第２のスライド部材(４)、フレーム(５)及び板部材(６)によって一体のキャビネット(60)が構成され、該キャビネット(60)に表示ユニット(22)が取り付けられている請求項４に記載のスライド式電子機器。
【発明の詳細な説明】
【技術分野】
【０００１】
本発明は、スライド型携帯電話機の如く一対の本体が互いにスライド可能に連結されたスライド式電子機器に関するものである。
【背景技術】
【０００２】
スライド式携帯電話機においては、複数の操作キーを具えた操作側本体と表示ユニットを具えた表示側本体とがスライド機構を介して互いに連結され、例えば表示側本体は、表示側キャビネット上に表示ユニットを搭載して構成されている。
例えば表示側キャビネットは、複数の板状部材を互いに接合することで必要な強度を発揮する構造体を構成しており、その構造体の端部を前記スライド機構に連結することによって、スライド動作の安定性を維持している。
【０００３】
ところで、携帯電話機等の電子機器においては、２つの部材を互いに接合するために、両面接着テープが用いられている(特許文献１、２参照)。両面接着テープは、組立工程における仮止めや、高い接合強度が不要な部材の接合に有効である。
これに対し、２つの部材を互いに強固に接合するための接着層として、熱を与えることによって強い接着力を発揮する熱活性接着層が知られている(特許文献３、４参照)。
【０００４】
スライド式携帯電話機においてスライド機構に繋がる構造体が複数の部材から構成されている場合、スライド動作の安定化のためには高い寸法精度(例えば誤差±５／１００ｍｍ以内)が必要であるため、構成部材どうしの接合には、大きな接合強度が得られる熱活性接着層を用いることが有効である。
【先行技術文献】
【特許文献】
【０００５】
【特許文献１】特開平１１−２８９１６９号公報
【特許文献２】特開２００４−７２１４９号公報
【特許文献３】特開２０００−１１９６２４号公報
【特許文献４】特開２００３−２１３２３７号公報
【発明の概要】
【発明が解決しようとする課題】
【０００６】
熱活性接着層は、２つの構成部材の接合面間に介在させて、所定の温度(例えば２００℃)と圧力(例えば０.３ＭＰａ)を一定時間(例えば１０秒間)に亘って加えることで高い接着力が得られる。
【０００７】
スライド式電子機器においてスライド機構に繋がる２つの構成部材を熱活性接着層により互いに接合する場合、治具を用いて２つの構成部材を保持した状態で、一方の構成部材の表面に所定時間に亘ってヒートプレートを押し当て、所定の温度及び圧力を加えるが、この際、温度、圧力及び時間を正確にコントロールする必要がある。
【０００８】
例えば所定時間よりも長く温度及び圧力を加えると、２つの構成部材の間に介在する熱活性接着層が徐々に周囲に拡がって、厚さが減少し続けるので、２つの構成部材からなる構造体に厚さ寸法のバラツキが生じることとなり、スライド動作に支障を来たす虞がある。
【０００９】
従って、熱活性接着層を用いた２つの構成部材の接合工程においては、接合時の温度、圧力及び時間を正確にコントロールする必要があり、熱活性接着層の硬化状態での厚さを管理することが困難である問題があった。
【００１０】
そこで本発明の目的は、スライド機構に直接若しくは間接的に繋がる２つの構成部材が接着層によって接合されたスライド式電子機器において、前記接着層の硬化状態での厚さを容易に管理することが可能なスライド式電子機器を提供することである。
【課題を解決するための手段】
【００１１】
本発明に係るスライド式電子機器においては、一対の本体がスライド機構を介して互いに連結され、前記スライド機構に直接若しくは間接的に繋がる２つの構成部材が接着層によって互いに接合されている。
ここで、前記２つの構成部材の内、少なくとも何れか一方の構成部材の接合面には、他方の構成部材の接合面へ向かって突出する凸部が形成されており、該凸部が他方の部材の接合面に当接した状態で、該凸部の近傍に拡がる接合面領域にて２つの構成部材が接着層によって互いに接合されている。
前記接着層としては、硬化の過程で加圧力に応じて厚さが変化することとなる接着層、例えば熱活性接着層が採用される。
【００１２】
上記スライド式電子機器においては、２つの構成部材の接合面間に熱活性接着層を介在させて該熱活性接着層に温度と圧力を与えるとき、一方の構成部材の凸部が他方の構成部材の接合面に直接に当接し、２つの構成部材間の隙間が凸部の高さに応じた所定の大きさに設定される。
【００１３】
従って、該熱活性接着層に与えるべき温度や圧力、保持時間に多少のバラツキがあったとしても、２つの構成部材の間隔が変化することはなく、よって熱活性接着層の厚さにも変化はない。
この様に、熱活性接着層に与えるべき温度や圧力、保持時間のバラツキに拘わらず、２つの構成部材を正確な相対位置で接合することが出来るので、スライド機構の動作はスムーズなものとなる。
【００１４】
具体的態様において、前記スライド機構は、一方の本体に固定された第１のスライド部材(31)のレール部(32)と、他方の本体に固定された第２のスライド部材(４)のスライド部(41)と、両スライド部材(31)(４)を互いに連結するバネ部材(33)とから構成され、前記第２のスライド部材(４)は板部材(６)を介してフレーム(５)に連結され、前記他方の構成部材となる板部材(６)と前記一方の構成部材となるフレーム(５)とが熱活性接着層(９)により互いに接合されている。
【００１５】
更に具体的な態様において、前記第２のスライド部材(４)と板部材(６)とは熱活性接着層(９)によって互いに接合され、前記第２のスライド部材(４)、フレーム(５)及び板部材(６)によって一体のキャビネット(60)が構成され、該キャビネット(60)に表示ユニット(22)が取り付けられている。
【発明の効果】
【００１６】
本発明に係るスライド式電子機器によれば、スライド機構に直接若しくは間接的に繋がる２つの構成部材を互いに接合する接着層の硬化状態における厚さを容易に管理することが出来る。
【図面の簡単な説明】
【００１７】
【図１】本発明の一実施態様であるスライド式携帯電話機の閉じ状態を表面側から見た斜視図である。
【図２】該スライド式携帯電話機の開き状態を表面側から見た斜視図である。
【図３】該スライド式携帯電話機の閉じ状態を背面側から見た斜視図である。
【図４】該スライド式携帯電話機の開き状態を背面側から見た斜視図である。
【図５】該スライド式携帯電話機の分解斜視図である。
【図６】該スライド式携帯電話機の表示側本体の正面図である。
【図７】図６のＡ−Ａ線に沿う断面図である。
【図８】図７のＢ部を拡大して示す断面図である。
【発明を実施するための形態】
【００１８】
以下、本発明をスライド式携帯電話機に実施した形態につき、図面に沿って具体的に説明する。
本発明の一実施形態であるスライド式携帯電話機は、図１〜図４に示す如く、操作側本体(１)と表示側本体(２)とをスライド可能に連結して構成され、図２の如く、操作側本体(１)の表面にはテンキーを含む複数の操作キー(11)が配備され、表示側本体(２)の表面には、スクリーン(21)と機能キーを含む複数の操作キー(23)が配備されている。
【００１９】
操作側本体(１)と表示側本体(２)は、図５に示すスライド機構(３)によって互いに連結されている。
表示側本体(２)は、表示側キャビネット(60)上に、スクリーン(21)を具えた表示ユニット(22)を配備して構成され、表示側キャビネット(60)は、ステンレス鋼製の表示側スライド部材(４)と、マグネシウム合金製のフレーム(５)と、ステンレス鋼製の板部材(６)とを互いに強固に接合して、一定の強度を有する構造体を構成している。
【００２０】
表示側スライド部材(４)には開口(42)が形成され、表示側スライド部材(４)の表面には、前記開口(42)を包囲して、熱活性接着層(９)が形成されている。
フレーム(５)には開口(51)が形成され、フレーム(５)の表面には、前記開口(51)を包囲して、熱活性接着層(９)が形成されると共に、開口(51)を包囲する４箇所に、凸部(50)が一体に形成されている。
板部材(６)には開口(61)が形成されている。
【００２１】
熱活性接着層(９)としては、例えばテサテープ株式会社製の熱活性フィルム“テサＨＡＦ”を採用することが出来る。
【００２２】
スライド機構(３)は、操作側本体(１)の表面に取り付けられた操作側スライド部材(31)の両側縁をＵ字状に屈曲させて形成された左右一対のレール部(32)(32)と、表示側スライド部材(４)の両側縁を外側へ突出させた左右一対のスライド部(41)(41)と、操作側スライド部材(31)と表示側スライド部材(４)とを互いに連結するバネ部材(33)とから構成されている。
【００２３】
図７及び図８に示す如く、操作側スライド部材(31)のレール部(32)と表示側スライド部材(４)のスライド部(41)とは互いに摺動可能に係合し、表示側スライド部材(４)に対する操作側スライド部材(31)のスライドを案内している。
【００２４】
図５に示す如く、表示ユニット(22)は、フレキシブルリード(７)を介して、操作側本体(１)内の回路基板に繋がっている。表示ユニット(22)から引き出されたフレキシブルリード(７)は、板部材(６)の開口(61)、フレーム(５)の開口(51)、表示側スライド部材(４)の開口(42)、及び操作側スライド部材(31)の開口(34)を通過して、操作側本体(１)の内部へ延びている。
【００２５】
板部材(６)の開口(61)は蓋部材(８)によって塞ぐことにより、防水を図っている。フレーム(５)の下端部には、その背面に、シャーシ(52)が取り付けられる。
又、表示ユニット(22)の下端部には、その表面に、前記複数の操作キー(23)を具えた操作盤(24)が取り付けられる。尚、操作盤(24)は、図６に示す様に、表示ユニット(22)の下端部に一部を重複させて設置される。
【００２６】
図７及び図８に示す様に、表示側スライド部材(４)と板部材(６)は熱活性接着層(９)によって互いに接合されている。又、フレーム(５)と板部材(６)は熱活性接着層(９)によって互いに接合されている。
ここで、フレーム(５)の表面に形成された凸部(50)が板部材(６)の背面(接合面)に直接に当接することにより、フレーム(５)の表面(接合面)と板部材(６)の背面(接合面)との間に所定の隙間Ｔが形成されている。これによって、フレーム(５)と板部材(６)の間に介在する熱活性接着層(９)の厚さが、凸部(50)の高さに応じた所定の大きさ(例えば０.１４ｍｍ)に設定されている。
【００２７】
尚、表示側スライド部材(４)と板部材(６)とを互いに接合する熱活性接着層(９)については、従来と同様に温度、圧力及び保持時間をコントロールする厚さ管理が行なわれている。
【００２８】
上記スライド式携帯電話機においては、フレーム(５)と板部材(６)の間に介在する熱活性接着層(９)の厚さが、フレーム(５)上に形成した凸部(50)の高さによって規定されるので、熱活性接着層(９)を硬化させるときの温度、圧力及び保持時間にバラツキが生じたとしても、熱活性接着層(９)の厚さが変化することはない。従って、温度、圧力及び保持時間を正確にコントロールすることなく、熱活性接着層(９)の厚さを管理することが出来る。
【００２９】
この結果、フレーム(５)と板部材(６)との相対的な位置関係が正確に規定され、ひいてはスライド機構(３)を構成する表示側スライド部材(４)と操作側スライド部材(31)との相対的な位置関係が正確に規定されることになって、スライド機構(３)のスライド動作がスムーズなものとなる。
【００３０】
尚、本発明の各部構成は上記実施の形態に限らず、特許請求の範囲に記載の技術的範囲内で種々の変形が可能である。
例えば、凸部(50)を用いた熱活性接着層(９)の厚さ管理は、フレーム(５)と板部材(６)との間に介在する熱活性接着層(９)に限らず、表示側スライド部材(４)と板部材(６)の間に介在する熱活性接着層(９)にも実施することが出来る。
【符号の説明】
【００３１】
(１)  操作側本体
(２)  表示側本体
(22)  表示ユニット
(３)  スライド機構
(４)  表示側スライド部材
(５)  フレーム
(50)  凸部
(６)  板部材
(７)  フレキシブルリード
(９)  熱活性接着層
【図１】
2011010142.tif 000003
【図２】
2011010142.tif 000004
【図３】
2011010142.tif 000005
【図４】
2011010142.tif 000006
【図５】
2011010142.tif 000007
【図６】
2011010142.tif 000008
【図７】
2011010142.tif 000009
【図８】
2011010142.tif 000010